(57)【要約】  【課題】  水の蒸散による冷却効果を利用する冷却エレメントや装置に好適に用いられ、従来の陶磁器と機械的強度がほぼ変わらない多孔表面陶磁器を提供しようとする。  【解決手段】表面の少なくとも一部に多孔質層が形成された陶磁器であって、該多孔質層はセラミック粒子が粟おこし状に連続気孔を有して焼結により結合されてなり導水性を有するものである、多孔表面陶磁器である。多孔質層は、セラミック粒子が釉剤を介して結合されてなるものであり得る。また、多孔質層が、セラミック粒子と釉剤と焼失性粒子とを含む焼成前駆体の層を焼成してなるものであり得る。  【選択図】  図１
2006206427.tif 000002
【特許請求の範囲】
【請求項１】
表面の少なくとも一部に多孔質層が形成された陶磁器であって、該多孔質層はセラミック粒子が焼結によりアワオコシ状に結合されて連続気孔を有してなりかつ導水性を有するものである、多孔表面陶磁器。
【請求項２】
前記多孔質層が、セラミック粒子と釉剤と焼失性粒子とを含む焼成前駆体の層を焼成してなる請求項１に記載の多孔表面陶磁器。
【請求項３】
前記陶磁器が、底壁と該底壁周縁部から立設する側壁とを備える容器形状部を備え、前記側壁の内外面の上部、及び、該内外面それぞれに連なる前記側壁の上縁部表面に前記多孔質層が形成された請求項１又は２に記載の多孔表面陶磁器。
【請求項４】
前記陶磁器が、周側壁を有する外側容器部を備え、該外側容器部は前記容器形状部と前記底壁を共有し、該周側壁は前記側壁を囲んで前記底壁の周縁から立設し、該周側壁と前記側壁との間に空間が形成された請求項３に記載の多孔表面陶磁器。
【請求項５】
前記陶磁器が、前記側壁の上縁部の少なくとも一部で外側下方に折り返されて下方に延出された折り返し部を有し、該折り返し部の上面に前記多孔質層が形成された請求項３に記載の多孔表面陶磁器。
【請求項６】
請求項１又は２に記載の多孔表面陶磁器からなる灯芯。
【請求項７】
被風冷部と、水貯め部と、該水貯め部に貯留された水を該被風冷部に導水する導水路部と、該被風冷部に向けて風を送る送風機と、を含んで構成される冷風発生器であって、前記被風冷部、前記水貯め部、前記導水路部から選択されるものが請求項１又は２に記載の多孔表面陶磁器を含んでなる冷風発生器。
【請求項８】
周壁を備える前記水貯め部と該水貯め部の下方に位置する筒部とを含んで構成された、請求項１又は２に記載の多孔表面陶磁器を備え、前記周壁の内外面及び上縁部表面に前記多孔質層が形成され、該筒部の筒壁に貫通孔が形成され、該筒部の該貫通孔の近傍の表面及び該表面に連なって該筒部の上縁部表面に前記多孔質層が形成されて該筒部の該貫通孔の近傍が前記被風冷部となり、該筒部の上縁部に形成された多孔質層と前記周壁の外面に形成された多孔質層とが連接して前記導水路部が形成され、該筒部に前記送風機が内蔵された請求項７に記載の冷風発生器。
【請求項９】
請求項１又は２に記載の多孔表面陶磁器からなり周壁を備える水貯め部と、他の請求項１又は２に記載の多孔表面陶磁器からなり該水貯め部を載置する筒部とを含んで構成され、前記周壁の内外面に前記多孔質層が形成され、該筒部の筒壁に貫通孔が形成され、該筒部の該貫通孔の近傍の表面及び該表面に連なって該筒部の上縁部表面に前記多孔質層が形成されて該筒部の該貫通孔の近傍が前記被風冷部となり、該筒部の上縁部に形成された多孔質層と前記周壁外面の下縁部に形成された多孔質層とが接触して前記導水路部が形成され、該筒部に前記送風機が内蔵された請求項７に記載の冷風発生器。
【請求項１０】
前記水貯め部が外周壁を備え、前記周壁が該外周壁の下周縁から該外周壁の内側に向けて延出し次いで立ち上がり、該周壁の上縁が閉曲線形状をなす、請求項９に記載の冷風発生器。
【発明の詳細な説明】
【技術分野】
【０００１】
本発明は多孔質セラミックス製品に関し、より詳しくは多孔表面を有する陶磁器に関するものである。
【背景技術】
【０００２】
旧来連続気孔を有する多孔質な陶磁器素地を作成するさまざまな方法が知られている。粗粒な骨材を用いる方法、素焼のように焼結が進行しない条件によって焼成する方法、原料に炭酸カルシウム等の熱分解性の物質を添加する方法、原料に可燃物質を添加する方法（例えば、特許文献１参照）等である。本発明においては多孔質な陶磁器素地を作成する技術を、素地ではなく、陶磁器表面に多孔質層を形成させるための方法として応用している。
【０００３】
一方、冷風装置に多孔質陶器を応用した提案としては、水容器に自然保冷機能を持たせた冷風扇がある（例えば、特許文献２参照）。同提案においては、送気冷却用貯留水槽に水に対する浸透性材料（例えば素焼土器）を用いている。また同提案においては冷気冷却用貯留水槽の外側に蒸発シート（例えば不職布）を取り付け、その一部を貯留水槽内の水に垂らしサイフォンの原理により外側の蒸発シートへ導いている。
【０００４】
送気冷却用貯留水槽に素焼土器のような水に対する浸透性材料を用い場合は、冷却性能を上げるため蒸発量を多くしようとすると、貯留水槽の壁を浸透する水量が増して漏水が多くなり、貯留水量の減り方が大きくなるという問題がある。また、蒸発シートを用いた場合、貯留水槽が使用時やその前後に手で掴むなどの操作がなされない場合は特に問題ないが、このような操作がなされる場合はシートとの接着を考慮する必要があり、シートの耐久性や貯留水槽の壁面との絶えず湿潤状態での接着性や接着力の耐久性に問題がある。
【０００５】
また、冷風装置に多孔質陶器を応用した冷風扇の提案がなされている（例えば、特許文献３参照）。同提案においては水の気化部に吸水性のセラミック体が用いられている。しかし同提案は気化熱を奪われる空気（冷風）にカビ・細菌が混入しないようにするために光半導体触媒シートを用いることを主な課題としている。セラミック体ハニカム状のものであり、セラミック体への水の供給のためセラミック体の前後面及び上面にスポンジその他の吸水性のあるシート状の吸水部材を貼付することがなされている。
【０００６】
シート状の吸水部材を貼付は、セラミック体の表面との絶えず湿潤状態での接着性や接着力の耐久性に問題がある。また、吸水部材はハニカム状のセラミック体の長孔（通路）まで水を運ぶ役目をするものの、吸水部材そのものが水の蒸散により冷却されることを役目としているわけではなく、セラミック体の長孔内での気化熱が冷却に寄与する構成となっている。長孔の内面は平滑であり、表面積が大きいとはいえず効率的な水の蒸散は期待できない。
【特許文献１】特開平１０−１３００７３号公報
【特許文献２】特開平６−１２９６５５号公報
【特許文献３】特開平９−２９２１３７号公報
【発明の開示】
【発明が解決しようとする課題】
【０００７】
このように、従来の多孔質セラミックスは、素地そのものを多孔質化することにより、気体及び液体の分離及びろ過材、触媒及びバイオリアクターの担体等として用いられてきた。しかし緻密な素地と比較すると、多孔質な素地には機械的な強度が低いという欠点があった。
【０００８】
古くから陶磁器素地の表面に釉を形成させることが行なわれている。しかし通常の釉はガラス質であるため、素地に対する防水や、洗浄を容易ならしめる効果は有するものの、液体の浸透及び吸収という機能は有さなかった。釉は、陶磁器素地の表面に熔着した、薄い珪酸塩混合物である。
【０００９】
液体の浸透及び吸収材としては、前述のようにポリウレタン製のスポンジ等の樹脂製品、布や不織布等の繊維製品、紙等のパルプ製品、灯芯用のガラス繊維等が広く用いられている。しかし、それらには耐熱性、または耐薬品性等に劣るという欠点があった。
【００１０】
そこで本発明者は、素地の機械的な強度が高く、液体の浸透性及び吸収性に優れた多孔質層を表面に有し、且つ耐熱、耐薬品性に優れた製品を提供すべく鋭意検討を重ねた結果本発明に至ったのである。
【課題を解決するための手段】
【００１１】
本発明の要旨とするところは、表面の少なくとも一部に多孔質層が形成された陶磁器であって、該多孔質層はセラミック粒子が焼結によりアワオコシ状に結合されて連続気孔を有してなりかつ導水性を有するものである、多孔表面陶磁器であることにある。
【００１２】
前記多孔質層は、前記セラミック粒子が釉剤を介して結合されてなるものであり得る。
【００１３】
前記多孔質層は、セラミック粒子と釉剤と焼失性粒子とを含む焼成前駆体の層を焼成してなり得る。
【００１４】
前記陶磁器は施釉面を有し得、該施釉面の表面に前記多孔質層が形成され得る。
【００１５】
前記多孔表面陶磁器においては、前記陶磁器が、底壁と該底壁周縁部から立設する側壁とを備える容器形状部を備え得、前記側壁の内外面の上部、及び、該内外面それぞれに連なる前記側壁の上縁部表面、に前記多孔質層が形成され得る。
【００１６】
前記多孔表面陶磁器においては、前記陶磁器が、周側壁を有する外側容器部を備え得、該外側容器部は前記容器形状部と前記底壁を共有し得、該周側壁は前記側壁を囲んで前記底壁の周縁から立設し得、該周側壁と前記側壁との間に空間が形成され得る。
【００１７】
前記多孔表面陶磁器においては、前記陶磁器が、前記側壁の上縁部の少なくとも一部で外側下方に折り返されて下方に延出された折り返し部を有し得、該折り返し部の上面に前記多孔質層が形成され得る。
【００１８】
前記多孔表面陶磁器においては、前記容器形状部に植木が植生され得る。
【００１９】
前記多孔表面陶磁器は水貯留用容器の中がわに載置され得る。
【００２０】
前記多孔表面陶磁器においては、前記容器形状部に生け花が活けられ得る。
【００２１】
前記容器形状部は、水を受ける受け容器の上または中がわに載置され得る。
【００２２】
前記陶磁器の下方または外側面下部近傍には、水を受ける受け部が設けられ得る。
【００２３】
前記陶磁器の下方または外側面下部近傍には、水を貯留する貯留部が設けられ得る。
【００２４】
前記容器形状部には水が貯留され得る。
【００２５】
また、本発明の要旨とするところは、前記多孔表面陶磁器からなる灯芯であることにある。
【００２６】
前記灯芯は、上方に開口され燃料を貯留することとなる容器形状をなし得、内周面に前記多孔質層が形成され得る。
【００２７】
前記灯芯と前記容器に貯留された蝋とを備えるろうそくが構成され得る。
【００２８】
前記多孔表面陶磁器からなり、上部開口を封止する座部を備え前記側壁に貫通孔が形成されたスツールが構成され得る。
【００２９】
また、本発明の要旨とするところは、被風冷部と、水貯め部と、該水貯め部に貯留された水を該被風冷部に導水する導水路部と、該被風冷部に向けて風を送る送風機と、を含んで構成される冷風発生器であって、前記被風冷部、前記水貯め部、前記導水路部から選択されるものが前記多孔表面陶磁器を含んでなる冷風発生器であることにある。
【００３０】
前記導水路部を含む前記多孔表面陶磁器と前記被風冷部とは一体に成形され得る。
【００３１】
前記被風冷部と前記水貯め部とは一体に成形され得る。
【００３２】
また、本発明の要旨とするところは、周壁を備える前記水貯め部と該水貯め部の下方に位置する筒部とを含んで構成された、前記多孔表面陶磁器を備え、前記周壁の内外面及び上縁部表面に前記多孔質層が形成され、該筒部の筒壁に貫通孔が形成され、該筒部の該貫通孔の近傍の表面及び該表面に連なって該筒部の上縁部表面に前記多孔質層が形成されて該筒部の該貫通孔の近傍が前記被風冷部となり、該筒部の上縁部に形成された多孔質層と前記周壁の外面に形成された多孔質層とが連接して前記導水路部が形成され、該筒部に前記送風機が内蔵された前記冷風発生器であることにある。
【００３３】
さらに、本発明の要旨とするところは、前記多孔表面陶磁器からなり周壁を備える水貯め部と、他の前記多孔表面陶磁器からなり該水貯め部を載置する筒部とを含んで構成され、前記周壁の内外面に前記多孔質層が形成され、該筒部の筒壁に貫通孔が形成され、該筒部の該貫通孔の近傍の表面及び該表面に連なって該筒部の上縁部表面に前記多孔質層が形成されて該筒部の該貫通孔の近傍が前記被風冷部となり、該筒部の上縁部に形成された多孔質層と前記周壁外面の下縁部に形成された多孔質層とが接触して前記導水路部が形成され、該筒部に前記送風機が内蔵された前記冷風発生器であることにある。
【００３４】
前記冷風発生器においては、前記水貯め部が外周壁を備え得、前記周壁が該外周壁の下周縁から該外周壁の内側に向けて延出し次いで立ち上がり得、該周壁の上縁が閉曲線形状をなし得る。
【発明の効果】
【００３５】
旧来の多孔質陶器は素地自体が多孔質であったため気孔率を高くするほど製品全体の機械的強度が低下した。したがって製品形状の自由度や使用条件に制約があった。これに対して、本発明の多孔表面陶磁器は素地が緻密であり機械的強度が高いため、製品形状の自由度や使用条件が一般的な陶磁器製品と同等となった。また旧来の多孔質陶器素地よりもさらに気孔率が高い多孔質層を製品の表面に形成させても、製品全体の機械的強度はさほど低下しなくなった。
【００３６】
本発明において、液体の移動が、主として毛細管現象、サイフォンの原理、引力による落下によって多孔質層中でなされる。電動ポンプ等を必要としないため動力源を必要とせず、広範な場所において使用が可能であり、しかも環境負荷が低い液体の移動技術を提供することが可能である。
【００３７】
本発明によると、水の蒸散による冷却効果を利用する冷却エレメントや装置に好適に用いられ、従来の陶磁器と機械的強度がほぼ変わらない多孔表面陶磁器が提供される。
【００３８】
本発明によると、水の蒸散による冷却効果を利用する冷却エレメントとして好適に用いられ、外観が陶磁器の質感と高級感と有し、室内空間にも調和し易く、また釉薬や彫刻等による加飾の自由度も高い多孔表面陶磁器が提供される。
【００３９】
多孔質セラミックを用いた旧来の分離及び濾過装置の部材は、素地自体が多孔質であるため部材全体の機械的強度が低いという欠点を有していたのに対して、本発明の多孔表面陶磁器を用いた濾過装置の部材は緻密で機械的強度が高い素地の外面、または同素地により作成された管の内面に設けた多孔質層により、液体の分離及びろ過を可能ならしめるものである。したがって部材全体の機械的強度が低下しないという効果がもたらされる。
【００４０】
現在市販されている冷風装置の保水部材にはモータ等の動力により水が供給されているのに対して、本発明の冷風装置においては保水部材となる多孔質層に毛細管現象、サイフォンの原理、引力による落下により水が供給されるため、モータの消費電力と駆動部から発生する騒音の低減を計る効果を有する。
【００４１】
現在市販されている冷風装置は主として樹脂により構成されており、その外観は風格に欠けるものである。しかし本発明の冷風装置は主として陶磁器により構成されているため、その外観は高級感を有し、室内空間にも調和し易く、また釉薬や彫刻等による加飾の自由度も高い。
【００４２】
本発明によると、一般的な灯油ストーブ等の液体燃料用や蝋等の固型燃料用の灯芯として用いられ、ガラス繊維の織布でできた従来のものが、使用時にガラス繊維が劣化するため一定期間の使用後に、はさみで灯芯を切り揃える必要があるのに対して、耐火度が高く、その耐用期限は半永久的な灯芯が提供される。この本発明の灯芯を使用した液体燃料の気化及び燃焼装置の部材においては、陶磁器表面の比較的薄い多孔質層において気化及び燃焼が進行するため、不完全燃焼による油煙や煤の発生が少ない。また、燃焼に伴い素地が加熱されるため、多孔質層中の液体燃料の気化が加速される効果がある。
【００４３】
本発明による多孔表面陶磁器からなる容器に蝋を入れてなるろうそくは環状の幻想的な炎を生じさせることができる。さらに、この容器外観が陶磁器の質感と高級感とを有し、室内空間にも調和し易く、また釉薬や彫刻等による加飾の自由度も高いので、きわめて高級感のあるキャンドルグッズとなる。
【発明を実施するための最良の形態】
【００４４】
本発明に関わる表面に多孔質層を有する陶磁器製品の実施の形態について詳しく説明する。本発明においては、陶磁器素地の表面に、粒度が調整され、且つ焼成により粒子間の気孔が閉塞することのない骨材を主成分とする泥漿を塗布し適正な温度によって製品を焼成する。焼成時に素地は焼結が進行し、焼成後に機械的強度が高い緻密質に変化する。しかし素地の表面に施された泥漿は焼結が進行せず、連続気孔を有する多孔質層に変化することを見出し本発明に至った。
【００４５】
図１に示すように、本発明の多孔表面陶磁器２は、表面の少なくとも一部に多孔質層４が形成された陶磁器であり、陶磁器基体６の表面にこの多孔質層４が形成されている。なお、本明細書の図面において同一の機能を有する部材には同一の符号を付しており、また、重複した説明は省略されている。また、本明細書においては、多孔表面陶磁器は図１に示す構成を有する、機器や器具や用具や部材としての陶磁器、あるいは図１に示す構成を有する陶磁器材料を意味するものとする。即ち陶磁器のある一部分が図１に示す構成を有する場合の、その一部分を構成する陶磁器材料をも意味するものとする。
【００４６】
陶磁器基体６は、従来の陶磁器と同様の坏土を焼成して得られる通常の陶磁器と同様の材質のものである。多孔質層４は、セラミック粒子８が釉剤１０を介してアワオコシ状に連続気孔７を有して焼結により結合されてなるものである。釉剤は、陶磁器の表面に熔着されると釉となる物質である。
【００４７】
多孔表面陶磁器２は陶磁器基体６となる素地に、セラミック粒子と釉剤とを含む泥漿を掛けて、多孔質層の前駆体となし、次いでその泥漿を掛けた素地を焼成して得られる。これにより、前駆体が素地とともに焼成されてセラミック粒子が隣接の粒子同士の接触部で釉剤を介して焼結されて粒子のアワオコシ状の結合態様を有する多孔質層４と陶磁器基体６が形成される。
【００４８】
素地は、焼成前の素地であっても、素焼がなされた素地であっても、締め焼きが終了した素地であっても良い。また、素地は施釉された陶磁器であってもよい。この場合、施釉
は素地表面の少なくとも多孔質層４が形成されるべき領域になされていることが好ましい。
【００４９】
多孔質層４は、セラミック粒子が隣接の粒子同士の接触部で焼結されてアワオコシ状に連続気孔７を有して結合されてなるものであってもよい。この場合、多孔表面陶磁器２は陶磁器基体６となる素地に、セラミック粒子を含む泥漿を掛けて、多孔質層の前駆体となし、次いでその泥漿を掛けた素地を焼成して得られる。これにより、前駆体が素地とともに焼成されて多孔質層４と陶磁器基体６が形成される。
【００５０】
本発明の多孔表面陶磁器を得る具体的な方法の一例としては、例えば、素焼をした陶磁器素地の表面に、分級された比較的粗粒な使用済み碍子の粉末を骨材とする泥漿を塗布し乾燥後に焼成する方法が挙げられる。素地はほとんど吸水性を有さず、機械的強度が高い緻密な状態に焼結したが、泥漿を塗布した部分には骨材と骨材の隙間に連続気孔を有する多孔質層が形成される。碍子の粉末の平均粒径は、０．１〜１ｍｍであることが好ましい。
【００５１】
また、本発明の多孔表面陶磁器を得る具体的な方法の他の一例としては、素焼をした陶磁器素地の表面に、耐火粘土を主成分とする泥漿を塗布し乾燥後に焼成する方法が挙げられる。素地はほとんど吸水性を有さず、機械的強度が高い緻密な状態に焼結するが、泥漿を塗布した部分は耐火度の高さゆえに焼結が進行せず、連続気孔を有する多孔質層が形成される。
【００５２】
本発明の多孔表面陶磁器が円柱形の棒状である場合、その棒の下端を水中に浸すと、水が多孔質層に浸透及び吸収され、毛細管現象により多孔質層の一定の高さまで上昇する。
【００５３】
また、この棒の下端を、顔料を混ぜた水の中に浸すと、水と顔料が多孔質層に浸透及び吸収され、毛細管現象により多孔質層の一定の高さまで上昇する。その際、顔料は多孔質層の表面に横縞状の模様を描いた。多孔質層において顔料は分離され、液体クロマトグラフィと同様な現象が観察される。
【００５４】
多孔表面陶磁器２は本明細書において詳述される各種の用途に適した形状に成形されたものが用いられるが、図１には、多孔表面陶磁器の基本的な構造を示す。
【００５５】
例えば、図２に示すように、本発明の多孔表面陶磁器２ｐが略「への字形」の棒状である場合、この棒の「へ」の一の端部１１を水中に浸すと、水は多孔質層に浸透及び吸収され、毛細管現象により「へ」の一の辺１３を斜め上に上昇し、やがて「へ」の他の辺１５を斜め下に下降し「へ」の他の端部１７から滴下する。一の端部１１に水を供給し続ける限り、サイフォンの原理により他の端部１７への水の移動が継続する。
【００５６】
本発明の多孔表面陶磁器が「への字形」の管状であり、その管の内面に多孔質層が形成されている場合、「へ」の短辺の下端の開口部を水に浸すと、水は毛細管現象により管内の多孔質層を上昇し、やがて「へ」の長辺の内部へ移動し、「へ」の長辺の下端の開口部から滴下する。
【００５７】
このように、本発明においては、陶磁器表面に形成された多孔質層は、この多孔質層に浸透した水が毛管現象あるいはサイフォンの原理により多孔質層の面方向に移動するという導水性を有する。
【００５８】
素地の原料としては、カオリン、粘土、雲母、陶石等の可塑性原料、長石、珪石、炭酸カルシウム、マグネサイト、アルミナ、陶磁器粉末等の非可塑性原料、鉄等の金属および二酸化チタン等の金属酸化物、有機及び無機の可塑性付与剤、分散剤、凝集剤を用いることができるが、これらに限定されるものではない。陶磁器の製作に用いられる原料なら何を用いても良いし、これらの調合割合も特に限定されるものではない。
【００５９】
本発明において、陶磁器の表面に、導水性に優れた、連続気孔を有する多孔質層を形成させるためには、泥漿に用いられるセラミック粒子として比較的粒度が粗い骨材を使用することが好ましい。また、素地よりも耐火度が高く、焼結が進行しにくい無機材料や、炭酸カルシウム等の熱分解性の無機物や、有機物の粉末等の可燃物質を泥漿に添加して用いることが好ましい。さらにこれらの原料を組み合わせて使用してもよい。なかでも、泥漿に有機物の粉末等の焼失性の粒子を添加することにより、良好な導水性を有する多孔質層４が得られる。即ち、連続気孔を有する多孔質層が、セラミック粒子と釉剤と焼失性粒子とを含む焼成前駆体の層を焼成してなる場合、良好な導水性を有する多孔質層４が得られる。
【００６０】
セラミック粒子となるべき原料としては、長石、珪石等の岩石の粒子、炭酸カルシウム、マグネサイト、アルミナ、陶磁器粉末等の非可塑性原料、鉄等の金属および二酸化チタン等の金属酸化物、ガラス粉末などが挙げられるが、焼結によりアワオコシ構造が形成されるものであればこれらに限定されない。
【００６１】
本発明において、連続気孔を有する多孔質層を形成させるための泥漿の原料としては、セラミック粒子のほかに、カオリン、粘土、雲母、陶石等の可塑性原料、コークス粉、樹脂粉末等の有機の可燃物質、有機及び無機の可塑性付与剤、分散剤、凝集剤を用いることができるが、これらに限定されるものではない。陶磁器の製作に用いられる原料なら何を用いても良いし、これらの調合割合も特に限定されるものではない。
【００６２】
本発明においては、焼成により隣接の骨材の粒子同士が接点で焼結されてアワオコシ構造が形成される。あるいは、骨材と釉薬とが混合された泥漿を用い、焼成により骨材の粒子同士が接点で釉剤を介して焼結されてアワオコシ構造が形成される。骨材の粒子同士が接点で釉剤を介して焼結された構造は、焼結を骨材粒子同士が直接焼結される温度以下の温度で行うことができ、焼結時に骨材が極端に変形されず、骨材粒子間の間隙がつぶされずに保たれるので、多孔質層４に導水性が良好な連続孔が形成されてより好ましい。
【００６３】
釉薬は釉剤を含む処理液である。釉剤は陶磁器の表面に熔着されて釉となる物質からなる施釉用の材料である。本発明においては釉剤として、鉛釉、アルカリ釉、アルカリ−石灰釉、石灰釉、長石釉、ホウ酸釉など通常の釉剤を用いることができる。また釉剤はこれらに限定されない。
【００６４】
多孔質層４よる液体の浸透及び吸収の性能は、泥漿中の無機成分の濡れ性、粒径、粒形、耐火度、製品の焼成条件、添加物の量と粒度、無機添加物の熱分解性、有機添加物の焼失性により決定される。液体の浸透性及び吸収性に優れた毛細管を形成させることも可能であり、また、液体の含浸性及び保持性に優れた気孔を形成させることも可能である。
【００６５】
本発明において、製品の部位によって異なる粒度及び成分の原料を用いて多孔質層を形成させても良いし、異なる粒度及び成分の原料を用いて多孔質層を多層構造にしても良い。
【００６６】
本発明において、素地の表面に泥漿を施す方法としては、浸し掛け、流し掛け、噴霧掛け等がある。また、多孔質層を形成させるための方法であるならば、泥漿ではなく乾燥した原料粉末を濡れた状態の素地に吹き付ける等の方法や、練り土状の原料を素地に貼り付ける等の方法を選ぶことも可能である。
【００６７】
本発明において、素地の表面に形成される多孔質層の厚みはとくに限定されない。マイクロメートルオーダーの厚みであっても、ミリメートルオーダーの厚みであっても、センチメートルオーダーの厚みであっても良い。また、製品の部位によって厚みが異なっていても良い。
【００６８】
本発明において、素地の表面の多孔質層に浸透、吸収及び含浸、保持させる液体は、水であっても、薬液であっても、各種物質の水溶液であっても、油脂であっても、各種物質を油脂に溶かし込んだものであっても、有機または無機の溶剤であっても、各種物質を溶剤に溶かし込んだものであっても良い。液体であれば何を用いても良いし、不溶性粒子を含む懸濁液であっても良い。また、これらを組み合わせても良いし、その調合割合も特に限定されるものではない。
【００６９】
本発明において、素地の表面の多孔質層に浸透及び吸収させる液体の移動は、上から下への落下方向であっても、水平方向であっても、斜め上または斜め下方向であっても、毛細管現象による下から上への方向であっても、サイフォンの原理により一度上へ揚げてから下へ落とす方向であっても可能である。
【００７０】
本発明において、素地の表面の多孔質層に浸透させた液体を気化させる方法としては、大気中で自然に気化させても良いし、送風機等を用いても良いし、外部または内部から熱を加えても良い。
【００７１】
実験例１
本発明の多孔表面陶磁器の導水効果を調べる実験を行った。多孔表面陶磁器として図２に示す略「への字形」の棒状の試料４４を作成した。試料は、「への字形」の棒状の陶磁器基体４６の表面の一部分に多孔質層４が形成されてなる。
【００７２】
まず、信楽粘土を原料として陶磁器基体４６の形状に成形、乾燥し、８００℃で素焼きし、素地を作成した。次いで、この素地の表面全般に通常の方法で釉薬を塗布し１２００℃で本焼きした。釉薬としては土灰釉を用いた。つぎに、この本焼きされた陶磁器基体４６の、多孔質層４が形成されるべき表面領域に泥漿を塗布し１２５０℃で焼成した。多孔質層４の厚さは１ｍｍであった。
【００７３】
泥漿は、粒径０．５ｍｍアンダーのセラミック粒子１００重量部、土灰釉５重量部、平均粒径５０μｍの球状中空の樹脂粉末（松本油脂製薬株式会社製、商品名  Ｆ５０Ｅ）５重量部に適量の水を加えて粘度を調整し作った。セラミック粒子としては、碍子の粉砕物を用いた。
【００７４】
試料４４の径は１０ｍｍ、短辺の長さＬ１は５０ｍｍ、長辺の長さＬ２は１００ｍｍであった。折れ曲がりの角度αは１２０度であった。
【００７５】
試料４４の折れ曲がりの部分を上に突状態として長辺の水平に対する角度を４０度とし、試料４４の短辺５０（一の辺１３）の下端を水（蒸留水）に浸した。水が多孔質層４８に浸透及び吸収され、毛細管現象により短辺５０を斜め上に上昇し、やがて長辺５２（他の辺１５）を斜め下に下降し長辺５２の下端から滴下した。短辺５０の下端が水に浸されている限り、長辺５２からの水の滴下が継続した。滴下量は１滴／２秒であった。
【００７６】
実験例２
泥漿として、粒径０．５ｍｍアンダーのセラミック粒子１００重量部、土灰釉５重量部に適量の水を加えて粘度を調整し作った。セラミック粒子としては、碍子の粉砕物を用いたほかは実験例１と同様にして棒状の試料４４を作成し、短辺５０の下端を水に浸した。長辺５２からの水の滴下量は１滴／４秒であり、焼失性の樹脂粉末が泥漿に添加されている実験例１の場合のほうがサイフォン効果による導水効果が大であることが見出された。
【００７７】
本明細書における多孔質層の導水性の有無は、陶磁器基体４６に全面に多孔質層を形成し、実験例１の態様で多孔質層に導水させたときの水の滴下速度で判定することができる。滴下速度が１滴／６秒以上のとき、この多孔質層は導水性を有する多孔質層である。
【００７８】
本発明の多孔表面陶磁器は植木鉢に適用して、手をかけることなく鉢内の用土の湿り気を好適に維持することができる。この態様の１例を図３に示す。図３において、植木鉢２０は、底壁３１を共有する内側容器（容器形状部）３２と、外側容器部３４との二重壁構造容器の構造を有し、内側容器３２の側壁１３１の内外面及び上縁部表面に多孔質層４ｂが形成されている。底壁３１の中央には水抜き穴３５が形成されている。このように陶磁器基体６ｂの表面の一部分に多孔質層４ｂが形成されている。水抜き穴３５は植生の態様によっては必ずしも必要でない場合もある。
【００７９】
外側容器部３４の周側壁１３５は側壁１３１を囲んで底壁３１の周縁から立設し、周側壁１３５と側壁１３１との間に空間３９が形成される。
【００８０】
内側容器３２は植木鉢の形状をなし、用土３６を入れて植物３８が植生される。空間３９に水４０が貯留される。図４の内側容器３２の上縁６０近傍ａの拡大図にも示すように、水４０は多孔質層４ｂを導水路部として矢印３２０ｍの方向に内側容器３２の外壁面から内側容器３２の上縁６０を経由して内側容器３２の内壁面に達し、次いで用土３６に吸収される。内側容器３２の外周の多孔質層４ｂが、外周の上の部分で大気に露出されることになり、この露出部分から水が蒸散して内側容器３２が冷却される効果を伴った植木鉢が得られる。
【００８１】
外側容器部３４の高さと内側容器３２の高さとの比率は略１：１であるが、例えば１：２〜１：１０と外側容器部３４の高さが内側容器３２の高さより低くされてもよい。この場合は、内側容器３２の外周の多孔質層４ｂの大部分が外周の上の部分で大気に露出されることになり、この露出部分から水が蒸散して内側容器３２が冷却される効果が大きい。
【００８２】
内側容器３２の周壁が通常の素焼き陶器からなる態様にあっては、水４０が周壁に浸透して周壁を通過し、用土３６に達するが、このような態様においては、時間当りに周壁を通過する量が多く、用土３６の水分が過剰になりやすい。また、貯留された水４０の減少速度が速く、空間３９への頻繁な水の補充が必要となる。
【００８３】
これに対して、本発明の多孔表面陶磁器による植木鉢２０においては、多孔質層４ｂを通じて少量の一定量の水が絶えず用土３６に供給されるので、用土３６の適切な湿り気が維持されるとともに空間３９への頻繁な水の補充を必要としない。
【００８４】
本発明の多孔表面陶磁器を植木鉢に適用した他の態様を図５に示す。図５において、植木鉢７０は容器形状をなし、底壁７２と底壁７２の上部に設けられた中底板７４と、底壁７２の周縁から立設する側壁７７を備えてなる二重底構造の陶磁器基体６ｃの表面の一部分に多孔質層４ｃが形成されてなる。多孔質層４ｃは、側壁７７の内外面及び上縁部に形成されている。底壁７２と側壁７７とは一体に成形されている。
【００８５】
植木鉢７０の中底板７４の上部に用土３６を入れて植物３８が植生される。中底板７４と底壁７２の間の空間７９に水４０が貯留される。
【００８６】
植木鉢７０においては、多孔質層４ｃを通じて空間７９に貯留された水４０から少量の一定量の水が絶えず用土３６に供給されるので、用土３６の適切な湿り気が維持されるとともに空間７９への頻繁な水の補充を必要としない。
【００８７】
本発明の多孔表面陶磁器を植木鉢に適用したさらに他の態様を図６に示す。図６において、植木鉢構造８０は、水貯留用容器８２と、水貯留用容器８２の中がわに載置された植木鉢形状の多孔表面陶磁器４ａとから構成される。多孔表面陶磁器４ａの底面は水抜き穴を有しない。多孔質層４ｄが、多孔表面陶磁器４ａの陶磁器基体６ｄの側壁７７ａの内外面及び上縁部に形成されている。
【００８８】
多孔表面陶磁器４ａに用土３６を入れて植物３８が植生される。水貯留用容器８２に水４０を貯留する。水４０は多孔質層４ｄを導水路部として多孔表面陶磁器４ａの外壁面から多孔表面陶磁器４ａの上縁１００を経由して多孔表面陶磁器４ａの内壁面に達し、次いで用土３６に吸収される。
【００８９】
植木鉢構造８０においては、多孔質層４ｄを通じて少量の一定量の水が絶えず用土３６に供給されるので、用土３６の適切な湿り気が維持されるとともに水貯留用容器８２への頻繁な水の補充を必要としない。
【００９０】
本発明の多孔表面陶磁器を花瓶用の水容器に適用した態様を図７に示す。図７において、本発明の花瓶構造９０が、水受け容器９２と、水受け容器９２に載置され生け花１０４が活けられる花瓶形状の水容器９５とから構成される。水容器９５は陶磁器基体６ａと陶磁器基体６ａの表面に設けられた多孔質層４ｄとで構成される。水容器９５の底部が水受け容器９２の中がわに位置するように水容器９５が水受け容器９２の上縁９８で支承される。
【００９１】
本発明の多孔表面陶磁器を花瓶に適用した態様を図８に示す。図８において、本発明の花瓶構造１００が、水受け容器１０２と、水貯留用容器１０２の内底に載置された水容器９５とから構成される。多孔質層４ｄは水容器９５の周壁の内外面及び上縁部表面に設けられている。
【００９２】
花瓶構造９０、花瓶構造１００においては、生け花１０４を活けるための活け水１０６が多孔表面陶磁器９４の周壁の内面において多孔質層４ｄに接しており、活け水１０６は周壁の内面から多孔質層４ｄを導通して水容器９５の上縁部表面を経由して周壁の外面に達する。周壁の外面で活け水１０６の一部が蒸散し、残余が周壁の外面下端部に達し、そこから水貯留用容器９２あるいは水貯留用容器１０２の中に滴下もしくは流下する。
【００９３】
この周壁の外面における水の蒸散により水容器９５の周壁が冷却され、これにより活け水１０６の温度の外気による過度の上昇が防止され、活け水１０６の温度を適温に維持することができる。
【００９４】
陶磁器基体６ａは施釉されていることが好ましい。施釉により過剰な水分が水容器９５の周壁に浸透して直接周壁外面に達して蒸散あるいは下方に流下し、活け水１０６が短時間で目減りすることが防止される。
【００９５】
本発明においては、床面が濡れることを厭わなければ、水容器９５を直接床面に載置して花瓶として用いことができる。
【００９６】
図９に示すように、水容器９５は水受け容器１０２と一体に成形されてもよい。また、図１０に示すように、多孔質層４ｄが水容器９５の周壁面に形成されていてもよい。また、図１１に示すように、周壁面に形成される多孔質層４ｄの面積や面形状を選択することにより、多孔質層４ｄを導通する水の量や多孔質層４ｄの表面から蒸散する水の量を調整することができる。
【００９７】
水容器９５は、花瓶のみならず、その中に貯留された水を外気より低い温度に維持する目的に広く用いることができる。通常の素焼きの甕にも蒸散による冷却効果があるとされているが、本発明においては、素焼きの甕においては水が周壁に浸透して外部に漏出するので、周壁そのものが多孔質体からなるため、周壁の強度を高めることが難しい。また、適度な浸透性を得るための材料の選定や焼き具合がデリケートである。
【００９８】
これに対して本発明においては、陶磁器基体６ａは多孔質体である必要がないため、周壁の強度を高めるように作ることができ、かつ多孔質層の厚さや孔径を周壁の強度にかかわりなく設定できるので、例えば素焼きの甕に比べて多くの水を蒸散あるいは滴下や流下させることができる。
【００９９】
さらに、本発明においては、このような水容器により、図１２に示すような、水を滴下させ観賞したり水を供給したりする水滴下装置１３３をつくることができる。図１２の縦断面を有する回転体形状水容器１２０、喩えるならば、富士山の山頂付近のような形状を有する、本発明の多孔表面陶磁器からなる回転体形状水容器１２０を作成し、その陶磁器基体６ｅの表面に多孔質層４ｅを形成させた。中央の窪み１２８に水４０を入れると、水は毛細管現象により上昇し、やがてサイフォンの原理により円錐台状筒体１３０の外面を下降した。喩えるならば、富士山の噴火口に水を入れると、水は火口壁を伝わって矢印３２０ｅの方向に山頂まで上昇し、さらに裾野へ向かって下降した。中央の窪み１２８に水を供給し続ける限り水の移動は継続した。
【０１００】
図１２は本発明の実施の形態における液体を移動させる器具２１７の一例である回転体形状水容器１２０でもある。ここで、本明細書において液体を移動させる器具とは、液体の移動を楽しむ噴水等も含まれ、回転体形状水容器１２０は滴下する水を楽しむ。
【０１０１】
図１２に示すように、本実施の形態の液体を移動させる器具２１７は、液体貯留部１４５（窪み１２８）を形成する底面部１４１と、この底面部１４１の外周から上方に延びて形成された側壁１４２と、この側壁１４２上方の外周縁から底面部１４１より低い位置まで下方斜めそとがわに延びて形成された壁部１４３（円錐台状筒体１３０）と、また、底面部１４１に形成された高台１４４を有している。液体貯留部１４５は鉢形であってもよい。
【０１０２】
底面部１４１の内面と側壁１４２の内面、壁部１４３の一部表面に多孔質層４ｅが形成されている。多孔質層４ｅは壁部１４３の全面に形成されていてもよい。
【０１０３】
液体貯留部１４５の液体が側壁１４２の多孔質層４ｅの毛細管を通じて液体が上昇し、壁部１４３の多孔質層４ｅの毛細管を通じて液体が下降して液体を移動する。
【０１０４】
また、前記の方法で多孔質層４ｅの骨材の粒度を変えることにより、液体の分離、ろ過を行う。
【０１０５】
また、壁部１４３の外周の形状は長さを変え波状等に加工して、液体の移動箇所を固定してもよい
【０１０６】
液体を移動させる器具２１７を複数個、あるいは図１３に示す多段冷却装置２２３のように、液体を移動させる器具２１７ａ及び器具２１７ａと略相似の同じような形態の器具２１７ｂ〜ｅを多段に積み重ねて使用してもよい。この場合はある壁部１４３の下縁からその下方の壁部１４３の外周面に順次水を滴下させることができて水の移動が観賞できる。最下段の器具２１７ｅは水受け皿２２２の内底面に載置されている。
【０１０７】
多段冷却装置２２３は強制的な送風を行わなくとも、壁部１４３における多孔質層４の表面からの水分の蒸散により気化熱が奪われて自然冷却される。自然冷却により、例えば、壁部１４３の初期の表面温度が２４℃であるものが６分後には２０℃になり、貯留された水４０は、自然放置による場合、２５時間で半減する。また、液体を移動させる器具２１７や多段冷却装置２２３を室内に置物等として設置することにより、室内の湿度を高める加湿効果が得られる。
【０１０８】
さらに、図1４に示すように、液体を移動させる器具２１７ｓを円筒状のスツール形状に成形して、エクステリア用のスツール３７０として用いることができる。器具２１７ｓは、陶磁器基体６ｘからなる、円筒部３６０と円筒部３６０の下部開口を封止する底壁３６２と円筒部３６０の上部開口を封止する座部３６４とで構成される。円筒部３６０の周壁には複数の貫通孔３６６が形成されている。円筒部３６０の内周壁面及び底壁３６２の内壁面に多孔質層４が形成されている。座部３６４の上面は暖かい触感を得るために発泡セラミックの層３６８でカバーされている。円筒部３６０の内部に留置された水４０が、多孔質層４に浸透しさらに多孔質層４の表面から蒸散して気化熱を奪うことにより、周囲の温度を下げて冷感が得られる。スツール３７０は周囲側壁が角筒形であってもよい。
【０１０９】
さらに、本発明の多孔表面陶磁器は送風機等の送風機と組み合わせて冷風発生器を得ることができる。この態様の一例を図1５に示す。図1５において、冷風発生器３００はフック形に曲げられた棒状の多孔表面陶磁器２ｉと、水貯め部３０６と、不図示の送風機とを含んで構成される。多孔表面陶磁器２ｉは複数本が互いに平行に配されてフック部３１１を上にして基盤３０８上に立設されている。多孔表面陶磁器２ｉは、フック部３１１における先端部３１３が水貯め容器３１２（水貯め部３０６）に貯留された水４０に浸漬されている。多孔表面陶磁器２ｉの表面には多孔質層４４４が形成されている。多孔表面陶磁器２ｉの下がわの直線部分が被風冷部３０２となっている。被風冷部は風を受けてあるいは自然に表面から液体が蒸散するときの気化熱により冷却される部分である。この態様においては、不図示の送風機による矢印３２０方向の風を受けて被風冷部３０２が冷却され冷風が発生する。
【０１１０】
フック部３１１の多孔質層４４４が水を水貯め部３０６から被風冷部３０２に導水する導水路部３０４となっている。
【０１１１】
本発明の多孔表面陶磁器を送風機と組み合わせて冷風発生器を得る他の態様の一例を図1６に示す。図1６において、冷風発生器３００ａは板状の多孔表面陶磁器２ｊと、水貯め部３０６ｊと、不図示の送風機とを含んで構成される。多孔表面陶磁器２ｊは上がわで斜めに折り曲がった板形状をなし、基盤３０８ｊ上に立設されている。水貯め部３０６ｊは本発明の多孔表面陶磁器２ｊｊからなる略矩形形状の容器であり、一の側壁３３０が斜め上方に向けて外向きに傾斜している。側壁３３０の内壁面に多孔質層４４４ａが形成されている。
【０１１２】
多孔表面陶磁器２ｊの表面には多孔質層４４４ｊが形成されている。多孔表面陶磁器２
ｊの下がわの立直板部分３３４が被風冷部３０２ｊとなっている。不図示の送風機による矢印３２０ｊ方向の風を受けて被風冷部３０２ｊが冷却され冷風が発生する。
【０１１３】
立直板部分３３４には複数の貫通長孔３３６が形成されている。
【０１１４】
水貯め部３０６ｊに貯留された水４０が、多孔質層４４４ａに浸透して一の側壁３３０に沿って上昇し、一の側壁３３０の上縁３４０から、上縁３４０で折り下がった板部３３３に沿って下降して、板部３３３の先端から、多孔表面陶磁器２ｊの上がわの折り曲がった板形の部分３４２に水滴３４４となって滴下する。一の側壁３３０の内壁面及び板部３３３に形成された多孔質層４４４ｊｊ及び折り曲がった板形の部分３４２の部分の多孔質層４４４ｊが水を水貯め部３０６ｊから被風冷部３０２ｊに導水する導水路部３０４ｊとなっている。
【０１１５】
本発明の多孔表面陶磁器を送風機と組み合わせて冷風発生器を得るさらに他の態様の一例を図1７に示す。図1７において、冷風発生器３００ｂは有底円筒状の多孔表面陶磁器２ｋと、不図示の送風機とを含んで構成される。多孔表面陶磁器２ｋの外周壁面には周方向に一巡する複数のフランジ３４６が設けられている。
【０１１６】
多孔表面陶磁器２ｋの内壁面及びフランジ３４６の表面を含む外周壁面には、多孔質層４４４ｋが形成されている。多孔質層４４４ｋは多孔表面陶磁器２ｋの表面に縦縞状に形成されてもよい。
【０１１７】
多孔表面陶磁器２ｋの筒状部分が水貯め部３０６ｋとなっている。水貯め部３０６ｋに貯留された水４０が多孔質層４４４ｋに浸透して内壁３５０に沿って上昇し、内壁３５０の上縁３５２から多孔表面陶磁器２ｋの外周壁に形成された多孔質層４４４ｋを経由してフランジ３４６の表面に形成された多孔質層４４４ｋに達する。内壁３５０に形成された多孔質層４４４ｋ及び多孔表面陶磁器２ｋの外周壁の部分の多孔質層４４４ｋが水を水貯め部３０６ｋから被風冷部３０２ｋに導水する導水路部３０４ｋとなっている。
【０１１８】
フランジ３４６が被風冷部３０２ｋとなっており、不図示の送風機による矢印３２０ｋ方向の風を受けて被風冷部３０２ｋが冷却され冷風が発生する。
【０１１９】
冷風発生器３００、３００ａ、３００ｂにおいては、水貯め部に代えて圧力水を導入した管先から被風冷部に水を滴下あるいは流下させる態様であってもよい。
【０１２０】
被風冷部３０２ｋの表面には多孔質層４４４ｋが形成されていることが好ましいが、この表面は単なる粗面などの濡れ性が良好な面であってもよい。図1７に示す態様は、水貯め部３０６ｋ、導水路部３０４ｋ、被風冷部３０２ｋが一体となって１個の多孔表面陶磁器２ｋとなっているので、構造がコンパクトで成形が容易であり好ましい。
【０１２１】
本発明の多孔表面陶磁器を送風機と組み合わせて冷風発生器を得るまたさらに他の態様の一例を図1８に示す。図1８において、冷風発生器１５０は本発明の多孔表面陶磁器からなる容器体１５２と送風機１５４とを含んで構成される。容器体１５２は、縦断面が「Ｈの字型」となる回転体の形状、即ち、下部の筒部１５５の上に寸胴の鉢が存在する形状をなし、この鉢形状の部分が水貯め部１５６となっている。下部の筒部１５５の筒壁には複数の貫通孔１５８が形成されている。また、筒部１５５の筒壁の内外周表面及び水貯め部１５６の内外表面には破線で示される多孔質層４ｆが形成れている。水貯め部１５６に水４０を入れると、水は毛細管現象とサイフォンの原理により水貯め部１５６の外周壁である周壁１８１の内表面に形成された多孔質層４ｆに浸透し、周壁１８１の外表面に形成された多孔質層４ｆ及び筒部１５５の外表面上部の領域に形成された多孔質層４ｆが導水路部２０９となって、水が筒部１５５の外表面の貫通孔１５８近傍の領域の多孔質層４ｆに導かれる。
【０１２２】
筒部１５５の内部空間に設置された送風機１５４を運転し貫通孔１５８に向けて矢印３２０ｔの方向に送風すると、筒部１５５の筒壁の貫通孔１５８の近傍が被風冷部１６３となり、多孔質層４ｆに浸透した水の気化が促進され、気化熱が奪われることにより容器体１５２全体の温度が低下するとともに、貫通孔１５８から極めて冷涼な風が放出される。
【０１２３】
冷風発生器１５０は、水貯め部１５６と筒部１５５とが別体で、水貯め部１５６が筒部１５５に載置された態様であってもよい。
【０１２４】
本発明の多孔表面陶磁器を用いた冷風発生器のさらにまた他の態様の一例を図1９に示す。図1９において、冷風発生器１６０は、本発明の多孔表面陶磁器からなり、図1９に示す縦断面を有する回転体、すなわち寸胴の傘立てのような形状の有底の筒胴部（筒部）１６２を備える。筒胴部１６２の筒壁には複数の貫通孔１５８が形成されている。また、筒胴部１６２には、筒胴部１６２の上部の開口部分に蓋するように貯水鉢１６１が載置されている。貯水鉢１６１は他の多孔表面陶磁器からなり、筒状の外周壁１６４と、外周壁１６４の下周縁から内側に向けて延出し次いで自身の中心部に向けて立ち上がる周壁１６６と、外周壁１６４の上部開口部分に蓋する蓋１６８とから構成される。周壁１６６が自身の中心部において開口されることにより、貯水鉢１６１にはドーナツ状の窪み１６９が形成される。貯水鉢１６１が水４０を窪み１６９に貯蔵する水貯め部１５６ａとなっている。周壁１６６の上縁は環状である。
【０１２５】
周壁１６６の内壁面と中心部の開口縁部表面と外壁面とには破線で示される多孔質層４ｇが形成されている。さらに、貯水鉢１６１の下縁部１７３表面にも周壁１６６の外壁面に連なって多孔質層４ｇが形成されている。多孔質層４ｇは貯水鉢１６１の表面に縦縞状に形成されてもよい。また、筒胴部１６２の内周壁面と上縁部表面に破線で示される多孔質層４ｈが形成されている。多孔質層４ｈは筒胴部１６２の表面全域に形成されてもよい。
【０１２６】
筒胴部１６２に貯水鉢１６１が載置された状態で、筒胴部１６２の上縁部において多孔質層４ｇと多孔質層４ｈとが接触状態となり、この接触により導水路部２０７が形成されて多孔質層４ｇに浸透している水が多孔質層４ｈに移行し、さらに、貫通孔１５８の近傍の筒胴部１６２の内壁面に達する。
【０１２７】
筒胴部１６２の内部空間に設置された送風機１５４を運転し貫通孔１５８に向けて矢印３２０ｘの方向に送風すると、筒胴部１６２の壁の貫通孔１５８の近傍が被風冷部１６３ａとなり、多孔質層４ｈに浸透した水の気化が促進され、気化熱が奪われることにより筒胴部１６２全体の温度が低下するとともに、貫通孔１５８から極めて冷涼な風が放出される。
【０１２８】
筒部１５５や筒胴部１６２は円筒形であることが製作上好ましいが角筒形であってもよい。周壁１６６の上縁は楕円形や多角形や星形やひょうたん形などの閉曲線形状に開口されていてもよい。
【０１２９】
冷風発生器１５０、冷風発生器１６０においては、水貯め部１５６や貯水鉢１６１の内壁面に形成された多孔質層４ｆあるいは多孔質層４ｇに浸透した水が被風冷部１６３あるいは被風冷部１６３ａに滴下されるような滴下導水路部を有する構成であってもよい。あるいは、水貯め部１５６や貯水鉢１６１に代えて圧力水を導入した管先から被風冷部１６３あるいは被風冷部１６３ａに水を滴下させる態様であってもよい。
【０１３０】
被風冷部１６３あるいは被風冷部１６３ａ、の表面には多孔質層４ｆあるいは多孔質層４ｇのような多孔質層が形成されていることが好ましいが、これら表面は単なる粗面などの濡れ性が良好な面であってもよい。
【０１３１】
冷風発生器１５０、冷風発生器１６０の構成は、水貯め部１５６あるいは貯水鉢１６１、導水路部２０７あるいは導水路部２０９、被風冷部１６３あるいは被風冷部１６３ａが一体となって１あるいは２個の多孔表面陶磁器のそれぞれの部位にまとめて形成されているので、構造がコンパクトで成形が容易であり、最も好ましい。
【０１３２】
冷風発生器１６０は、導水路部２０７及び導水路部２０７に連なる被風冷部１６３ａの多孔質層４ｈが送風機１５４の送風部（プロペラ）１７９に面し、送風機１５４からの風がじかに多孔質層４ｈに当るので冷却効果に優れる。
【０１３３】
本発明の冷風発生器で発生する冷風は高湿度であり、本発明の冷風発生器は室内の湿度を高める加湿器の機能を兼ね備える。
【０１３４】
さらにまた、本発明の多孔表面陶磁器は一般的な灯油ストーブ等の液体燃料用の灯芯として好適に用いることができる。また蝋等の固型燃料用の灯芯として好適に用いることができる。
【０１３５】
ガラス繊維の織布でできた従来のものが、使用時にガラス繊維が劣化するため一定期間の使用後に、はさみで灯芯を切り揃える必要があるのに対して、耐火度が高く、その耐用期限は半永久的な灯芯が提供される。この本発明の灯芯を使用した液体燃料の気化及び燃焼装置の部材においては、陶磁器表面の比較的薄い多孔質層において気化及び燃焼が進行するため、不完全燃焼による油煙や煤の発生が少ない。また、燃焼に伴い素地が加熱されるため、多孔質層中の液体燃料の気化が加速される効果がある。
【０１３６】
また、本発明の多孔表面陶磁器を図２０に示すような筒状の容器２００に成形し、容器２００の内壁面及び上縁部表面に多孔質層４を形成させ、この容器の中に液体燃料２０２を入れて燃焼させると、上縁部表面でリング状に炎を生じさせることができる。
【０１３７】
図２１に示すように、すり鉢状の容器２０４に蝋のような固型燃料２０６を入れて燃焼させると、容器２０４の内周壁面と固型燃料２０６の上面との境界でリング状に幻想的に炎を生じさせることができる。さらに、この容器は外観が陶磁器の質感と高級感とを有し、室内空間にも調和し易く、また釉薬や彫刻等による加飾の自由度も高いので、この容器に蝋のような固型燃料を入れてなるろうそくは、室内装飾用の高級感に富むキャンドルグッズとして好適に用いられる。多孔質層は容器表面に縞状に形成されてもよい。この場合は、とびとびに、多孔質層が形成された部分から炎が生じ、さらに装飾効果が高まる。
【０１３８】
本発明の多孔表面陶磁器を灯芯として用いた燃焼装置の態様の一例を図２２の断面図に示す。ここで、本明細書において燃焼装置とは、液体燃料を気化させることにより燃焼させる部材も含まれる。図２２のように耐熱陶器素地を用いた多孔表面陶磁器により底の無い円筒体１７０を作成し、円筒全体の表面に破線で示される多孔質層４を形成させる。灯油１９１が入った容器１７２に円筒体１７０の下端を浸すと、毛細管現象により灯油は口縁部まで矢印３２０ｈの方向に上昇する。口縁部に点火すると、口縁部において火は灯油が無くなるまで燃え続ける。円筒体１７０の側面に多数の穴を開けると円筒の内部に酸素が多く取りいれられるため燃焼の効率がさらに改善される。
【０１３９】
図２２に示すように、本実施の形態の燃焼装置１７７は、液体貯留部１７５が形成された容器１７２と、この容器１７２の中に、底壁部の一部に穴１８５が開いている円筒状の燃焼芯部材（円筒体）１７０を収容し、容器１７２の液体供給口１８４より燃焼芯部材１７０の先端部が飛び出した形状から成る。
【０１４０】
燃焼芯部材１７０の一部表面、または全面に多孔質層４が形成されている。
【０１４１】
液体貯留部１７５の液体燃料が燃焼芯部材１７０の多孔質層４の毛細管を通じて液体が矢印３２０ｈの方向に上昇し、燃焼芯部材１７０の先端１８６で空気と混ざり燃焼する。このように、燃焼芯部材１７０が灯芯として機能する。
【０１４２】
また、燃焼芯部材１７０の形状は筒状に限られない。さらに、燃焼芯部材１７０の上部に空気取り入れ口１８７が設けられていると、燃焼効果がさらに優れたものになる。
【０１４３】
また、先端部１８６を囲うように燃焼室が設けられていてもよい。
【０１４４】
本発明はその趣旨を逸脱しない範囲内で、原料の種類や調合比、焼成条件等の製造方法に関し、当業者の知識に基づき種々なる改良、修正、変形を加えた態様で実施し得るものである。
【０１４５】
以下、本発明の実施例を、場合によっては図面を参照しつつ具体的に説明する。なお、発明の実施の形態は、本発明が実施される特に有用な形態としてのものであり、本発明がその実施の形態に限定されるものではない。
【実施例】
【０１４６】
実施例１
本発明の多孔表面陶磁器として図３に示す植木鉢２０を作成した。まず、信楽粘土を原料として陶磁器基体６ｂの形状に成形、乾燥し、８００℃で素焼きし、素地を作成した。次いで、この素地の表面全般に通常の方法で釉薬を塗布し１２００℃で本焼きした。釉薬には土灰釉を用いた。つぎに、この本焼きされた陶磁器基体６ｂの、多孔質層４ｂが形成されるべき表面領域に泥漿を塗布し１２５０℃で焼成した。
【０１４７】
泥漿は、粒径０．５ｍｍアンダーのセラミック粒子１００重量部、土灰釉５重量部、平均粒径５０μｍの球状中空の樹脂粉末（エクスパンセル社製、商標ＥＸＰＡＮＣＥＬ−５５１ＷＥ）５重量部を加え、さらに適量の水を加えて粘度を調整し作った。セラミック粒子としては、碍子の粉砕物を用いた。
【０１４８】
得られた植木鉢２０における多孔質層４ｂの厚さは１ｍｍであった。多孔質層４ｂは、セラミック粒子がアワオコシ状に連続気孔を有して釉剤を介して焼結により結合されてなるものであった。
【０１４９】
内側容器３２に用土３６を入れて植物３８（ゴムの木）を植生した。多孔質層４ｂを通じて少量の一定量の水が絶えず用土３６に供給されるので、用土３６の適切な湿り気が維持されるとともに空間３９への頻繁な水の補充を必要としなかった。
【０１５０】
実施例２
図７に示す植木鉢構造８０を作成した。まず、信楽粘土を原料として陶磁器基体６ｄの形状に成形、乾燥し、８００℃で素焼きし、素地を作成した。つぎに、陶磁器基体６ｄの、多孔質層４ｄが形成されるべき表面領域に泥漿を塗布し１２５０℃で焼成し、多孔表面陶磁器４ａを得た。
【０１５１】
泥漿は平均粒径０．２ｍｍの川砂１００重量部、糊剤（ＣＭＣ）５重量部、平均粒径５０μｍの球状中空の樹脂粉末（エクスパンセル社製、商標ＥＸＰＡＮＣＥＬ−５５１ＷＥ）３０重量部を加え、さらに水を加えて作った。
【０１５２】
得られた多孔表面陶磁器４ａにおける多孔質層４ｄの厚さは１ｍｍであった。
【０１５３】
多孔表面陶磁器４ａに用土３６を入れて植物３８（さつき）を植生した。水貯留用容器８２に水４０を貯留した。水４０は多孔質層４ｄを導水路部として多孔表面陶磁器４ａの外壁面から多孔表面陶磁器４ａの上縁１００を経由して多孔表面陶磁器４ａの内壁面に達し、次いで用土３６に吸収された。
【０１５４】
植木鉢構造８０においては、多孔質層４ｄを通じて少量の一定量の水が絶えず用土３６に供給されるので、用土３６の適切な湿り気が維持されるとともに水貯留用容器８２への頻繁な水の補充を必要としなかった。
【０１５５】
実施例３
素地として、多孔質層４ｄが形成されるべき表面領域のみに施釉して本焼して得た陶器を用いたほかは実施例３と同様にして植木鉢構造を得た。この植木鉢構造においては、多孔質層４ｄを通じて少量の一定量の水が絶えず用土３６に供給されるので、用土３６の適切な湿り気が維持されるとともに水貯留用容器８２への頻繁な水の補充を必要としなかった。また、多孔表面陶磁器４ａの壁面から直接に用土に水が達することがないので、用土の湿り気状態が植生にとって最適に維持された。
【０１５６】
実施例４
耐熱陶器素地により円筒型の容器を作成し、実施例１の方法により円筒の内面と口縁部に多孔質層を形成させて多孔表面陶磁器からなる容器を得た。容器の中に灯油を入れたところ、灯油は毛細管現象により口縁部まで上昇した。口縁部に点火したところ、火は口縁部において灯油が無くなるまで燃え続けた。
【０１５７】
実施例５
耐熱陶器素地により湯飲み形の容器を作成し、実施例１の方法により容器の内面と口縁部に多孔質層を形成させて多孔表面陶磁器からなる容器を得た。容器の外周面には施釉により装飾模様を付けた。円筒の中に蝋をいれて暖めて蝋をとかして固まらせ、蝋の上面が水平になるように充填しろうそくを得た。点火により火は口縁部において環状の炎を作って幻想的に燃え続けた。
実施例６
図７に示す花瓶構造９０を作成した。まず、信楽粘土を原料として水貯留用容器９２の形状に成形、乾燥し、８００℃で素焼きし、素地を作成した。次いで、この素地の表面全般に通常の方法で釉薬を塗布し１２００℃で本焼きした。釉薬としては土灰釉を用いた。つぎに、この本焼きされた陶磁器基体６ａの、多孔質層４ｄが形成されるべき表面領域に実施例１と同様の泥漿を塗布し１２５０℃で焼成した。得られた水貯留用容器９２における多孔質層４ｄの厚さは１ｍｍであった。
【０１５８】
水貯留用容器９２に水を入れて花瓶として使用した。多孔質層４ｄを通じて少量の一定量の水が絶えず水貯留用容器９２の外側表面に供給されて蒸散するので表面温度が低下した。夏場に、同形の通常の花瓶の使用状態における表面温度が２８．６℃であったのに対して、同一の外気条件で使用したこの花瓶構造９０の水貯留用容器９２の表面温度は２０．８℃であった。
【産業上の利用可能性】
【０１５９】
陶磁器表面の多孔質層による分離及びろ過機能により、上水道や電力の使用が不可能な条件において、簡易な水質浄化装置としての利用の可能性がある。
【０１６０】
簡易な水質浄化装置としての利用に加え、サイフォンの原理により水を連続的に滴下させることにより、水生生物の飼育のための曝気装置としての利用の可能性がある。
【０１６１】
図１２に示す水滴下装置１３３の形状を多段式にし、陶磁器表面の多孔質層の表面積を増やすことにより、動力を必要としない簡易な加湿器具としての利用の可能性がある。
【０１６２】
多孔表面陶磁器表面の多孔質層に芳香、消臭等の機能を有する液体を浸透、吸収させることにより、素地の機械的強度が高く、しかも機能を有する液体の気化が容易になされる器具としての利用の可能性がある。
【０１６３】
多孔表面陶磁器表面の多孔質層による分離及びろ過機能と、液体燃料の気化及び燃焼装置の部材としての機能を組み合わせることにより、廃油及び使用済み調理油等を燃料とする燃焼装置としての利用の可能性がある。
【図面の簡単な説明】
【０１６４】
【図１】本発明の多孔表面陶磁器の構成を説明する断面模式図である。本発明の植物覆い具の態様の一例を示す斜視図である。
【図２】本発明の多孔表面陶磁器の機能を説明するための試料の構成を示す斜視模式図である。
【図３】本発明の多孔表面陶磁器による植木鉢の構成の一例を示す断面模式図である。
【図４】図３に示す多孔表面陶磁器の内側容器の上縁近傍の拡大模式図である。
【図５】本発明の多孔表面陶磁器による植木鉢の構成の他の一例を示す断面模式図である。
【図６】本発明の多孔表面陶磁器による植木鉢の構成のさらに他の一例を示す断面模式図である。
【図７】本発明の多孔表面陶磁器を花瓶用の水容器（花瓶）に適用した態様の一例を示す断面模式図である。
【図８】本発明の多孔表面陶磁器を花瓶に適用した他の態様の一例を示す断面模式図である。
【図９】本発明の多孔表面陶磁器を花瓶に適用したさらに他の態様の一例を示す断面模式図である。
【図１０】本発明の多孔表面陶磁器を花瓶に適用したまたさらに他の態様の一例を示す断面模式図である。
【図１１】本発明の多孔表面陶磁器による水容器の態様の他の一例を示す断面模式図であり、図１１（ａ）と図１１（ｂ）とでは態様が異なる。
【図１２】本発明の多孔表面陶磁器による水容器の態様のさらに他の一例を示す断面模式図である。
【図１３】本発明の多孔表面陶磁器による水容器を重畳した態様の一例を示す断面模式図である。
【図１４】本発明の多孔表面陶磁器による水容器を応用したストールの態様の一例を示す断面模式図である。
【図１５】本発明の多孔表面陶磁器を用いた冷風発生器の構成の一例を示す模式図であり、図1５（ａ）は側面図一部断面図、図1５（ｂ）は正面図である。
【図１６】本発明の多孔表面陶磁器を用いた冷風発生器の構成の他の一例を示す模式図であり、図1６（ａ）は側面図一部断面図、図1６（ｂ）は上面図、図1６（ｃ）はこの冷風発生器における、被風冷部を備える多孔表面陶磁器の正面図である。
【図１７】本発明の多孔表面陶磁器を用いた冷風発生器の構成のさらに他の一例を示す模式図であり、図1７（ａ）は正面図、図1７（ｂ）は平面図である。
【図１８】本発明の多孔表面陶磁器を用いた冷風発生器の態様の一例を示す断面模式図一部透視図である。
【図１９】本発明の多孔表面陶磁器を用いた冷風発生器の態様の他の一例を示す断面模式図一部透視図である。
【図２０】本発明の多孔表面陶磁器による灯芯を応用した容器を説明する断面模式図である。
【図２１】本発明の多孔表面陶磁器による灯芯を応用したろうそくの構成を説明する断面模式図である。
【図２２】本発明の多孔表面陶磁器を灯芯として用いた燃焼装置の態様の一例を示す断面模式図である。
【符号の説明】
【０１６５】
２、２ｐ、２ｉ、２ｊ、２ｊｊ、２ｋ：多孔表面陶磁器
４、４ａ、４ｂ、４ｃ、４ｄ、４ｅ、４ｆ、４ｇ、４ｈ、４４４、４４４ａ、４４４ｊ、４４４ｋ、４４４ｊｊ：多孔質層
６、６ａ、６ｂ、６ｃ、６ｄ、６ｅ：陶磁器基体
８：セラミック粒子
１０：釉
２０：植木鉢
３１：底壁
３２：内側容器（容器形状部）
３４：外側容器部
３６：用土
３８：植物
３９：空間
４０：水
７０：植木鉢
７２：底壁
７４：中底板
７７、７７ａ、１４２：側壁
８０：植木鉢構造
８２：水貯留用容器
９０：花瓶構造
９２、１０２：水受け用容器
９５：水容器
１００：花瓶構造
１０２：水貯留用容器
１０４：花木
１０６：活け水
１３３：水滴下装置
１２０：回転体形状水容器
１２８：窪み
１２９：水
１３０：円錐台状筒体
１３１：側壁
１４５、１４５ａ：液体貯留部
１４１：底面部
１４３：壁部
１４４：台座壁部
１５０、１６０、３００、３００ａ、３００ｂ：冷風発生器
１５２：容器体
１５４：送風機
１５５：筒部
１５６、１５６ａ、３０６、３０６ｊ、３０６ｋ：水貯め部
１５８：貫通孔
１６１：貯水鉢
１６２：筒胴部（筒部）
１６３、１６３ａ、３０２、３０２ｊ、３０２ｋ：被風冷部
１６４：外周壁
１６６、１８１：周壁
１６８：蓋
１６９：窪み
１７０：円筒体（燃焼芯部材）
１７２：容器
１７３：下縁部
１７７：燃焼装置
１７５：液体貯留部
１８４：液体供給口
１８５：穴
２０４：容器
２０６：固型燃料
２０７、２０９、３０４、３０４ｊ、３０４ｋ：導水路部
２１７、２１７ａ：器具
【図１】
2006206427.tif 000003
【図２】
2006206427.tif 000004
【図３】
2006206427.tif 000005
【図４】
2006206427.tif 000006
【図５】
2006206427.tif 000007
【図６】
2006206427.tif 000008
【図７】
2006206427.tif 000009
【図８】
2006206427.tif 000010
【図９】
2006206427.tif 000011
【図１０】
2006206427.tif 000012
【図１１】
2006206427.tif 000013
【図１２】
2006206427.tif 000014
【図１３】
2006206427.tif 000015
【図１４】
2006206427.tif 000016
【図１５】
2006206427.tif 000017
【図１６】
2006206427.tif 000018
【図１７】
2006206427.tif 000019
【図１８】
2006206427.tif 000020
【図１９】
2006206427.tif 000021
【図２０】
2006206427.tif 000022
【図２１】
2006206427.tif 000023
【図２２】
2006206427.tif 000024